(57)【要約】【課題】第１のスピーカおよび第２のスピーカで発生する不要振動を互いに相殺し低減できると共に、スピーカが安定し大きく動くこともなく、振動板の振幅の基準点を保ち入力信号に正確に応答することができ、さらに、第１のスピーカと第２のスピーカから放射される音波の時間差を低減させ指向性を低下させることができると共に、エンクロージャの容積を大きくすることもできてスピーカ背面にかかる負荷を低減でき、高精度で安定した音再生が可能なスピーカシステムを提供する。【解決手段】本発明のスピーカシステムＳ１は、第１のスピーカ１と、第１のスピーカ１に対して互いの前面側が対向するように配置された第２のスピーカ２と、第１のスピーカ１と第２のスピーカ２とを接続固定するスピーカ接続固定手段３と、第１のスピーカ１と第２のスピーカ２の後面側を覆うように設けられたエンクロージャ５，６とを有している。【選択図】図２
2018082413.tif 000002
【特許請求の範囲】
【請求項１】
第１のスピーカと、
該第１のスピーカに対して互いの前面側が対向するように配置された第２のスピーカと、
前記第１のスピーカと前記第２のスピーカとを接続固定するスピーカ接続固定手段と、
前記第１のスピーカと前記第２のスピーカの後面側を覆うように設けられたエンクロージャとを有していることを特徴とするスピーカシステム。
【請求項２】
前記第１のスピーカと前記第２のスピーカは、実質的に同じ音波または低周波成分が同じ音波を同時に発生させるものである請求項１に記載のスピーカシステム。
【請求項３】
前記第１のスピーカと前記第２のスピーカは同一構成、同一形状および同一寸法である請求項１または２に記載のスピーカシステム。
【請求項４】
前記エンクロージャは、前記第１のスピーカの後面側を覆うように設けられた第１のエンクロージャと、前記第２のスピーカの後面側を覆うように設けられた第２のエンクロージャとを有し、前記第１のエンクロージャと前記第２のエンクロージャは、エンクロージャ接続固定部にて接続固定されている請求項１ないし３のいずれかに記載のスピーカシステム。
【請求項５】
前記第１のエンクロージャと前記第２のエンクロージャは同一構成、同一形状および同一寸法である請求項４に記載のスピーカシステム。
【請求項６】
前記エンクロージャ接続固定部は、前記第１のスピーカと前記第２のスピーカを貫通するスピーカ貫通部を有し、前記第１のエンクロージャと前記第２のエンクロージャの内部に設けられている請求項４または５に記載のスピーカシステム。
【請求項７】
前記第１のエンクロージャおよび前記第２のエンクロージャは、それぞれ中空の球形状に形成されている請求項４ないし６のいずれかに記載のスピーカシステム。
【請求項８】
前記第１のスピーカと前記第２のスピーカは、緩衝材を介して前記エンクロージャに取り付けられている請求項１にないし７のいずれかに記載のスピーカシステム。
【請求項９】
前記エンクロージャには、制振手段が設けられている請求項１ないし８のいずれかに記載のスピーカシステム。
【請求項１０】
前記エンクロージャは、開口部を有している請求項１ないし９のいずれかに記載のスピーカシステム。
【請求項１１】
前記スピーカ接続固定手段は、前記第１のスピーカの磁気回路と前記第２のスピーカの磁気回路とを接続固定する支持棒にて構成されている請求項１ないし１０のいずれかに記載のスピーカシステム。
【請求項１２】
前記スピーカ接続固定手段は、前記第１のスピーカのフレームと前記第２のスピーカのフレームとを接続固定する支持棒にて構成されている請求項１ないし１１のいずれかに記載のスピーカシステム。
【請求項１３】
前記第１のスピーカと前記第２のスピーカとの間には、前記第１のスピーカまたは前記第２のスピーカの前面側から放射される音波を拡散または反射する拡散器が設けられている請求項１ないし１２のいずれかに記載のスピーカシステム。
【請求項１４】
前記エンクロージャは、前記第１のスピーカまたは前記第２のスピーカの前面側から放射される音波の拡散機能を有している請求項１ないし１３のいずれかに記載のスピーカシステム。
【請求項１５】
前記第１のスピーカまたは前記第２のスピーカの少なくとも一方には、質量を増加させる錘手段が設けられている請求項１ないし１４のいずれかに記載のスピーカシステム。
【発明の詳細な説明】
【技術分野】
【０００１】
本発明は、音響機器に関し、特にスピーカシステムに関するものである。
【背景技術】
【０００２】
従来のスピーカシステムの多くは、スピーカをスピーカ筐体（エンクロージャ）に直接設置固定する構造であった。
このような構造は、スピーカとエンクロージャとの振動の伝達率が高く、スピーカで発生する不要振動がエンクロージャに伝達し、エンクロージャで不要振動が発生するという問題があった。また、エンクロージャ内部および周囲の空気振動がエンクロージャに伝達し、エンクロージャで不要振動が発生するという問題があった。さらに、エンクロージャで発生する不要振動がスピーカに伝達し、スピーカが入力信号に対して正確に応答する妨げとなっていた。
【０００３】
このような問題に対して、スピーカを緩衝材を介してエンクロージャに設置する構造のスピーカシステム（例えば特許第３７７８７９３号公報）が提案されている。
【０００４】
このスピーカシステム（特許第３７７８７９３号公報の上記構造）は、スピーカが緩衝材を介してエンクロージャに設置され、いわゆるフローティング状態にあるため、スピーカの安定性が悪く、スピーカが自由に動いてしまい、振動板（コーン）の振幅の基準点となるフレームおよび磁気回路がずれ、正確に振幅できないことから、スピーカが入力信号に対し正確に応答することができないという問題があった。そして、このような問題を解決するものとして、スピーカの安定性を向上させるため、スピーカに錘を取り付けた構造のスピーカ装置（例えば特許第３４８４１４３号公報）が提案されている。
【０００５】
ただ、この特許第３４８４１４３号公報のスピーカ装置のように、錘のみで顕著な効果を得ようとすると、スピーカ装置の重量が大きく増加してしまうことから、２つのスピーカを背中合わせで互いに接続して固定すると共に、これら２つのスピーカを緩衝材を介してエンクロージャに設置する構造のスピーカ装置（例えば特許第４７４４４１６号公報）が提案されている。
【０００６】
しかし、この特許第４７４４４１６号公報のスピーカ装置は、２つのスピーカを背中合わせにして接続固定し、互いの反作用をキャンセルするものであるが、エンクロージャ内の容積、特に各コーンの後ろ側の容積を十分に取ることができず、スピーカ間の距離を近づけることが難しいことから２つのスピーカから放射される音波に時間差が発生してしまい、指向性が強くなってしまうという問題があった。また、２つのスピーカが同じ空気室を共有している場合、スピーカ背面にかかる負荷が大きくなってしまうという問題があった。
【先行技術文献】
【特許文献】
【０００７】
【特許文献１】特許第３７７８７９３号公報
【特許文献２】特許第３４８４１４３号公報
【特許文献３】特許第４７４４４１６号公報
【発明の概要】
【発明が解決しようとする課題】
【０００８】
そこで、本発明者は上記問題を一挙に解決するピーカシステムを想起し本発明を為したものであり、すなわち、本発明の課題は、第１のスピーカおよび第２のスピーカで発生する不要振動を互いに相殺し低減できると共に、スピーカが安定し大きく動くこともなく、振動板の振幅の基準点を保ち入力信号に対して正確に応答することができ、さらに、第１のスピーカと第２のスピーカから放射される音波の時間差を低減させ指向性を低下させることができると共に、エンクロージャの容積を大きくすることもできてスピーカ背面にかかる負荷を低減でき、高精度で安定した音再生が可能なスピーカシステムを提供することにある。
【課題を解決するための手段】
【０００９】
上記課題を解決するものは、第１のスピーカと、該第１のスピーカに対して互いの前面側が対向するように配置された第２のスピーカと、前記第１のスピーカと前記第２のスピーカとを接続固定するスピーカ接続固定手段と、前記第１のスピーカと前記第２のスピーカの後面側を覆うように設けられたエンクロージャとを有していることを特徴とするスピーカシステムである（請求項１）。
【００１０】
前記第１のスピーカと前記第２のスピーカは、実質的に同じ音波または低周波成分が同じ音波を同時に発生させるものであることが好ましい（請求項２）。前記第１のスピーカと前記第２のスピーカは同一構成、同一形状および同一寸法であることが好ましい。（請求項３）。前記エンクロージャは、前記第１のスピーカの後面側を覆うように設けられた第１のエンクロージャと、前記第２のスピーカの後面側を覆うように設けられた第２のエンクロージャとを有し、前記第１のエンクロージャと前記第２のエンクロージャは、エンクロージャ接続固定部にて接続固定されていることが好ましい（請求項４）。前記第１のエンクロージャと前記第２のエンクロージャは同一構成、同一形状および同一寸法であることが好ましい（請求項５）。前記エンクロージャ接続固定部は、前記第１のスピーカと前記第２のスピーカを貫通するスピーカ貫通部を有し、前記第１のエンクロージャと前記第２のエンクロージャの内部に設けられていることが好ましい（請求項６）。前記第１のエンクロージャおよび前記第２のエンクロージャは、それぞれ中空の球形状に形成されていることが好ましい（請求項７）。前記第１のスピーカと前記第２のスピーカは、緩衝材を介して前記エンクロージャに取り付けられていることが好ましい（請求項８）。前記エンクロージャには、制振手段が設けられていることが好ましい（請求項９）。前記エンクロージャは、開口部を有していることが好ましい（請求項１０）。前記スピーカ接続固定手段は、前記第１のスピーカの磁気回路と前記第２のスピーカの磁気回路とを接続固定する支持棒にて構成されていることが好ましい（請求項１１）。前記スピーカ接続固定手段は、前記第１のスピーカのフレームと前記第２のスピーカのフレームとを接続固定する支持棒にて構成されていることが好ましい（請求項１２）。前記第１のスピーカと前記第２のスピーカとの間には、前記第１のスピーカまたは前記第２のスピーカの前面側から放射される音波を拡散または反射する拡散器が設けられていることが好ましい（請求項１３）。前記エンクロージャは、前記第１のスピーカまたは前記第２のスピーカの前面側から放射される音波の拡散機能を有していることが好ましい（請求項１４）。前記第１のスピーカまたは前記第２のスピーカの少なくとも一方には、質量を増加させる錘手段が設けられていることが好ましい（請求項１５）。
【発明の効果】
【００１１】
請求項１に記載したスピーカシステムによれば、第１のスピーカおよび第２のスピーカで発生する不要振動を互いに相殺し低減できると共に、スピーカが安定し大きく動くこともなく、振動板の振幅の基準点を保ち入力信号に正確に応答することができ、さらに、第１のスピーカと第２のスピーカから放射される音波の時間差を低減させ指向性を低下させることができると共に、エンクロージャの容積を大きくすることもできてスピーカ背面にかかる負荷を低減でき、高精度で安定した音再生が可能なスピーカシステムが構成される。
請求項２に記載したスピーカシステムによれば、上記請求項１の効果をより確実に奏することができる。
請求項３に記載したスピーカシステムによれば、上記請求項１の効果をより確実に奏することができる。
請求項４に記載したスピーカシステムによれば、エンクロージャの大きさまたは形状に影響されることなく、第１のスピーカと第２のスピーカとの距離を設定でき、エンクロージャの大きさまたは形状の自由度を高めることができる。また、第１のエンクロージャと第２のエンクロージャで発生する不要振動をエンクロージャ接続固定部を介し相殺してより低減できる。
請求項５に記載したスピーカシステムによれば、上記請求項１の効果をより確実に奏することができる。
請求項６に記載したスピーカシステムによれば、第１のエンクロージャまたは第２のエンクロージャの外方にエンクロージャ接続固定部（障害物）がなく、音波の不要な反射をより回避することができる。
請求項７に記載したスピーカシステムによれば、第１のエンクロージャまたは第２のエンクロージャ内で発生する定在波を低減できると共に、音波を球状表面で反射、拡散させることで指向性を低下させることができる。
請求項８に記載したスピーカシステムによれば、第１のスピーカ１と第１のエンクロージャ間の不要振動、または第２のスピーカ２と第２のエンクロージャ間の不要振動が相互により伝達しないように構成でき、上記請求項１の効果をより確実に奏することができる。
請求項９に記載したスピーカシステムによれば、エンクロージャおよびエンクロージャ内の不要振動をより低減できる。
請求項１０に記載したスピーカシステムによれば、開口部によってエンクロージャ内の空気圧の変化を低減させ、第１のスピーカおよび第２のスピーカ背面にかかる負荷をより低下させることができると共に、バスレフ効果を付加することもできる。
請求項１１に記載したスピーカシステムによれば、上記請求項１の効果を奏するスピーカシステムを容易かつ簡素な構成で実現できる。
請求項１２に記載したスピーカシステムによれば、上記請求項１の効果を奏するスピーカシステムを容易かつ簡素な構成で実現できる。
請求項１３に記載したスピーカシステムによれば、拡散器によって音波を拡散または反射させることができ、第１のスピーカおよび第２のスピーカから放射される音波の指向性をより低下させることができる。
請求項１４に記載したスピーカシステムによれば、エンクロージャによって音波を拡散させることができ、第１のスピーカおよび第２のスピーカから放射される音波の指向性をより低下させることができる。
請求項１５に記載したスピーカシステムによれば、第１のスピーカおよび第２のスピーカ慣性質量を増加させることで、２つのスピーカの不要振動をより低減できる。
【図面の簡単な説明】
【００１２】
【図１】本発明のスピーカシステムの一実施例の正面図である。
【図２】図１のＡ−Ａ線端面図である。
【図３】図１に示したスピーカシステムの斜視図である。
【図４】図３のＢ−Ｂ線断面図である。
【図５】本発明のスピーカシステムの他の実施例の正面図である。
【図６】図５のＣ−Ｃ線端面図である。
【図７】図５に示したスピーカシステムの斜視図である。
【図８】図７のＤ−Ｄ線断面図である。
【発明を実施するための形態】
【００１３】
本発明では、第１のスピーカ１と、第１のスピーカ１に対して互いの前面側が対向するように配置された第２のスピーカ２と、第１のスピーカ１と第２のスピーカ２とを接続固定するスピーカ接続固定手段３と、第１のスピーカ１と第２のスピーカ２の後面側を覆うように設けられたエンクロージャ５，６とを有していることで、第１のスピーカ１および第２のスピーカ２で発生する不要振動を互いに相殺し低減できると共に、第１のスピーカ１および第２のスピーカ２が安定し大きく動くこともなく、振動板の振幅の基準点を保ち入力信号に対して正確に応答することができ、さらに、第１のスピーカ１と第２のスピーカ２から放射される音波の時間差を低減させ指向性を低下できると共に、エンクロージャ５，６の容積を大きくすることもできてスピーカ１，２背面にかかる負荷を低減でき、高精度で安定した音再生が可能なスピーカシステムＳ１を実現した。
【実施例１】
【００１４】
本発明のスピーカシステムを図１ないし図４に示した一実施例を用いて説明する。
この実施例のスピーカシステムＳ１は、第１のスピーカ１と、第１のスピーカ１に対して互いの前面側が対向するように配置された第２のスピーカ２と、第１のスピーカ１と第２のスピーカ２とを接続固定するスピーカ接続固定手段３と、第１のスピーカ１と第２のスピーカ２の後面側を覆うように設けられたエンクロージャ５，６と、第１のスピーカ１と第２のスピーカ２との間に設けられ、第１のスピーカ１または第２のスピーカ２の前面側から放射される音波を拡散または反射する拡散器４とを有し、第１のスピーカ１と第２のスピーカ２は、緩衝材７，８を介してエンクロージャ５，６に取り付けられている。以下、各構成について順次詳述する。
【００１５】
第１のスピーカ１は、図２に示すように、振動板１ａ、マグネット１ｄおよびヨーク１ｅからなる磁気回路１ｃと、磁気回路１ｃのギャップ部分に配置され振動板１ａに連結されるボイスコイル１ｂと、振動板１ａおよび磁気回路１ｃを支持するフレーム１ｆから構成されている。そして、この第１のスピーカ１は、ボイスコイル１ｂに信号を入力すると、磁気回路１ｃの磁束によりボイスコイル１ｂが振動し、ボイスコイル１ｂの振動に応じて振動板１ａが振動して音波が発生し放射されるように構成されている。
【００１６】
第２のスピーカ２は、第１のスピーカ１に対して互いの前面側が対向するように配置されており、第１のスピーカ１と同様、振動板２ａ、マグネット２ｄおよびヨーク２ｅからなる磁気回路２ｃと、磁気回路２ｃのギャップ部分に配置され振動板２ａに連結されるボイスコイル２ｂと、振動板２ａおよび磁気回路２ｃを支持するフレーム２ｆから構成されている。そして、この第２のスピーカ２も、ボイスコイル２ｂに信号を入力すると、磁気回路２ｃの磁束によりボイスコイル２ｂが振動し、ボイスコイル２ｂの振動に応じて振動板２ａが振動し音波が発生して放射されるように構成されている。
【００１７】
なお、この実施例の第１のスピーカ１と第２のスピーカ２は、同一の構成、形状および寸法である。また、ボイスコイル１ｂおよびボイスコイル２ｂには、第１のスピーカ１および第２のスピーカ２から実質的に同じ音波または低周波成分が同じ音波を同時に発生させることが好ましいことから、同一な信号または低周波成分が同一な信号が同時に入力されることが好ましい。
【００１８】
ただし、本発明のスピーカシステムは、第１のスピーカと第２のスピーカが同一の構成、形状および寸法のものに限定されるものではなく、第１のスピーカと第２のスピーカにそれぞれ異なる構成、形状および寸法のものを用いた場合、第１のスピーカと第２のスピーカから実質的に同じ音波または低周波成分が同時に発生されるよう、それぞれの信号が補正され入力されることが好ましい。
【００１９】
スピーカ接続固定手段３は、第１のスピーカ１と第２のスピーカ２とを接続固定するための部位であり、この実施例では、図２または図４に示すように、第１のスピーカ１の磁気回路１ｃの前面側と第２のスピーカ２の磁気回路２ｃの前面側とを接続固定する支持棒３にて構成されている。そして、第１のスピーカ１と第２のスピーカ２は、このスピーカ接続固定手段３によって、互いの前面同士が対向すると共に平行方向に延在するように連結固定されている。
【００２０】
磁気回路１ｃとスピーカ接続固定手段（支持棒）３との接合位置は、磁気回路１ｃの中央部の重心点であることが好ましく、磁気回路２ｃとスピーカ接続固定手段（支持棒）３との接合位置も、磁気回路２ｃの中央部の重心点であることが好ましい。
【００２１】
磁気回路１ｃとスピーカ接続固定手段（支持棒）３との接合方法および磁気回路２ｃとスピーカ接続固定手段（支持棒）３との接合方法はいずれも強固に接合して両者を接続固定できる方法であればどのような方法でもよいが、例えば接着剤にて接合する方法が挙げられる。
【００２２】
さらに、第１のスピーカ１と第２のスピーカ２との間の距離は、可能な限り近接させることが好ましい。
【００２３】
このように、本発明のスピーカシステムＳ１では、第１のスピーカ１と第２のスピーカ２同士を前面を向き合わせてスピーカ接続固定手段（支持棒）３にて固定し、実質的に同じ音波または低周波成分を同時に発生させることで、互いの反作用、振動がスピーカ接続固定手段（支持棒）３にて相殺される。より詳しくは、低周波成分が実質的に同じ音波の場合、このスピーカ接続固定手段（支持棒）３によって、反作用のもっとも大きい低周波で相殺効果が得られるため、第１のスピーカ１および第２のスピーカ２で発生する不要振動を著しく低減できる。よって、第１のスピーカ１と第２のスピーカ２が安定して大きく動くことがなく、振動板１ａ，２ａの振幅の基準点を保てるため、入力信号に対して正確に応答することができる。また、第１のスピーカ１および第２のスピーカ２に、同一の構成、形状および寸法のものを用い、同一な信号または低周波成分が同一な信号を同時に入力することで、上記効果は更に顕著なものとなる。さらに、特許第４７４４４１６号公報のスピーカー装置のように音波の発生位置が離れてしまうこともなく、第１のスピーカ１と第２のスピーカ２から放射される音波の時間差を低減させ指向性を低下させることもできる。さらに、第１のスピーカ１と第２スピーカ２との距離を十分に近接させることができるため、振動板１ａから放射される音波と振動板２ａから放射される音波の時間差が低減され、指向性が低下するため正確に試聴できる音空間の範囲が広くなる上、音波の再現性をより高めることができる。
【００２４】
第１のスピーカ１と第２のスピーカ２との間には、第１のスピーカ１または第２のスピーカ２の前面側から放射される音波を拡散または反射する拡散器４が設けられている。この拡散器４によって音波を拡散または反射させることができ、第１のスピーカ１および第２のスピーカ２から放射される音波の指向性をより低下させることができる。
【００２５】
この実施例の拡散器４は、図２または図４に示すように、スピーカ接続固定手段（支持棒）３に設けられた球状体にて構成されている。拡散器４が設けられる位置は、音波を面対称的に反射させるため、第１のスピーカ１と第２のスピーカ２から等距離の位置であることが好ましい。また、拡散器４に質量の大きい物を用いることで、第１のスピーカ１および第２のスピーカ２の慣性質量を大きくして不要振動（反作用）を低下させることができる。
【００２６】
エンクロージャ５，６は、第１のスピーカ１と第２のスピーカ２の後面側をそれぞれ覆うように設けられており、スピーカシステムＳ１は、第１のスピーカ１の後面側を覆う第１のエンクロージャ５と、第２のスピーカ２の後面側を覆う第２のエンクロージャ６とを有している。
【００２７】
第１のエンクロージャ５は、図２に示すように、第１のスピーカ１を設置するためのスピーカ設置用開口部５ａを有し、第２のエンクロージャ６は、第２のスピーカ２を設置するためのスピーカ設置用開口部６ａを有している。そして、第１のスピーカ１はフレーム１ｆが緩衝材（環状体）７を介して第１のエンクロージャ５に設置されることにより第１のエンクロージャ５に取り付けられている。他方、第２のスピーカ２はフレーム２ｆが緩衝材（環状体）８を介して第２のエンクロージャ６に設置されることにより第２のエンクロージャ６に取り付けられている。  
【００２８】
このように、スピーカ１またはスピーカ２は、緩衝材７または緩衝材８を介して、第１のエンクロージャ５または第２のエンクロージャ６に取り付けられることにより、第１のスピーカ１と第１のエンクロージャ５間の不要振動、または第２のスピーカ２と第２のエンクロージャ６間の不要振動が相互により伝達しないように構成されている。また、緩衝材７および緩衝材８は、第１のスピーカ１の設置部分および第２のスピーカ２の設置部分の気密性を確保するよう配置されている。ただし、本発明のスピーカシステムは、スピーカ１またはスピーカ２が、緩衝材７または緩衝材８を介して、第１のエンクロージャ５または第２のエンクロージャ６に取り付けられているものに限定されるものではなく、スピーカ１またはスピーカ２と第１のエンクロージャ５または第２のエンクロージャ６との間に緩衝材が介在しないものも本発明の範疇に包含される。  
【００２９】
第１のエンクロージャ５および第２のエンクロージャ６は、それぞれ中空の球形状に形成されている。これにより、第１のエンクロージャ５または第２のエンクロージャ６内で発生する定在波を低減することができると共に、音波を球体の表面で反射、拡散させることで指向性を低下させることができる。
【００３０】
なお、本願でいう球形状とは、球体に限定されるものではなく、例えば、楕円球形状、半球形状、卵形状などを含む概念である。その他、第１のエンクロージャおよび第２のエンクロージャは、筒形状、または円筒の変形形状など広く連続した曲面を有したものを含み、さらに箱型形状などであってもよい。
【００３１】
第１のエンクロージャ５および第２のエンクロージャ６は、この実施例のように、同一の構成、形状および寸法であることが好ましい。これにより、第１のエンクロージャ５と第２のエンクロージャ６、第１のエンクロージャ５内の空気と第２のエンクロージャ６内の空気、および第１のエンクロージャ５周囲の空気と第２のエンクロージャ６周囲の空気は、実質的に第１のスピーカ１と第２スピーカ２との中間に延在する水平面に対して面対称的な振動をするため、指向性が低下し、正確に試聴できる音空間の範囲が広くなる上、音波の再現性をより高めることができる。
【００３２】
このように、本発明のスピーカシステムＳ１は指向性を著しく低くすることができることから設置の自由度が高く、水平方向だけでなく垂直方向にも指向性が低く、向きも関係なく設置可能である。また、第１のスピーカ１と第２のスピーカ２の相殺効果、第１のエンクロージャ５と第２のエンクロージャ６の相殺効果により、第１のエンクロージャ５および第２のエンクロージャ６の強度、振動に対する安定性を高めるために質量を大きくする必要がなく軽量化することができる。さらに、第１のエンクロージャ５と第２のエンクロージャ６は、急変部分での反射を防ぐため凸凹のない平滑な面が好ましい。
【００３３】
第１のエンクロージャ５または第２のエンクロージャ６は、図２または図４に示すように、それぞれ開口部５ｂ，６ｂを有している。これら開口部５ｂ，６ｂによって第１のエンクロージャ５または第２のエンクロージャ６内の空気圧の変化を低減させ、第１のスピーカ１および第２のスピーカ２背面にかかる負荷を低下させることで、第１のスピーカ１および第２のスピーカ２による正確な応答を確保することができる。また、これら開口部５ｂ，６ｂを用いてバスレフ効果も付加できる。
【００３４】
開口部５ｂ，６ｂには、図２または図４に示すように、それぞれ円筒管５ｃ、６ｃが設けられており、これら円筒管５ｃ，６ｃの内側には、吸音材１２，１３が取り付けられている。これにより、開口部５ｂ，６ｂを介する第１のエンクロージャ５または第２のエンクロージャ６からの音波の漏れを低減させると共に、円筒管５ｃ，６ｃ内で音波を減衰させて圧力のみを外方に逃がすことができるように構成されている。
【００３５】
さらに、円筒管５ｃ、６ｃの外側にも、図２または図４に示すように、円盤状の吸音材１４，１５が水平方向に延在するように取り付けられている。これら吸音材１４，１５により、振動を熱に変換し、振動吸収、振動を減衰させて、第１のエンクロージャ５または第２のエンクロージャ６内の空気振動を吸収および低下させるように構成されている。
【００３６】
さらに、第１のエンクロージャ５または第２のエンクロージャ６の内面には、制振手段１０，１１が設けられている。これによっても、第１のエンクロージャ５または第２のエンクロージャ６内の不要振動を熱に変換し、振動吸収、振動を減衰させて、第１のエンクロージャ５または第２のエンクロージャ６内の空気振動を吸収および低下させるように構成されている。
【００３７】
そして、第１のエンクロージャ５と第２のエンクロージャ６は、エンクロージャ接続固定部９ａ，９ｂ，９ｃにて接続固定されている。これにより、エンクロージャの大きさまたは形状に影響されることなく、第１のスピーカと第２のスピーカとの距離を設定でき、エンクロージャの大きさまたは形状の自由度も高めることができる。また、第１のエンクロージャ５と第２のエンクロージャ６で発生する不要振動をこれらエンクロージャ接続固定部９ａ，９ｂ，９ｃを介して相殺し低減できるように構成されている。
【００３８】
この実施例のエンクロージャ接続固定部９ａ，９ｂ，９ｃは、図１に示すように、第１のエンクロージャ５と第２のエンクロージャ６との間に等角度（１２０°）離間して配され、第１のエンクロージャ５と第２のエンクロージャ６とを接続固定する複数（三本）のエンクロージャ接続固定部（支持棒）９ａ，９ｂ，９ｃにて構成されている。また、エンクロージャ接続固定部９ａ，９ｂ，９ｃは、磁気回路１ｃおよび磁気回路２ｃの中心から等距離に配されている。
【００３９】
このように、第１のエンクロージャ５と第２のエンクロージャ６を、３本のエンクロージャ接続固定部（支持棒）９ａ，９ｂ，９ｃによって接続固定することで、第１のスピーカ１の後方音圧によって第２のエンクロージャ５内で発生する不要振動、および第１のスピーカ２の後方音圧によって第２のエンクロージャ６内で発生する不要振動の一致する周波数成分においては、３つのエンクロージャ接続固定部（支持棒）９ａ，９ｂ，９ｃを介して相殺されて、第１のエンクロージャ５および第１のエンクロージャ６で発生する不要振動が低減するよう構成されている。
【００４０】
なお、第１のスピーカ１または第２のスピーカ２の少なくとも一方に、質量を増加させる錘手段が設けられていてもよい。これは、２つのスピーカ１，２から放射される音波の誤差、差分は相殺されることなくスピーカ１，２に影響を与えるが、第１のスピーカ１または第２のスピーカ２の慣性質量を増加させることで安定性を高め、２つのスピーカ１，２の不要振動をより低減できる。
【００４１】
つぎに、図５ないし図８に示した本発明のスピーカシステムの他の実施例について説明する。
この実施例のスピーカシステムＳ２と前述したスピーカシステムＳ１との基本的な相違は、スピーカ接続固定手段が、第１のスピーカ２１のフレーム２１ｆと第２のスピーカ２２のフレーム２２ｆとを接続固定する複数のスピーカ接続固定手段２３ａ，２３ｂ，２３ｃにて構成されている点と、エンクロージャ接続固定部が、第１のスピーカ２１と第２のスピーカ２２を貫通するスピーカ貫通部２７を有し、第１のエンクロージャ２５と第２のエンクロージャ２６の内部に設けられている点である。これにより、スピーカシステムＳ１のように、第１のエンクロージャ５または第２のエンクロージャ６の外方にエンクロージャ接続固定部（障害物）９ａ，９ｂ，９ｃがなく、音波の不要な反射をより回避することができるように構成されている。
【００４２】
具体的には、この実施例のスピーカ接続固定手段は、磁気回路２１ｃ，２２ｃの中心から等距離で、かつ等角度（１２０°）離間して配されると共に、第１のスピーカ２１のフレーム２１ｆと第２のスピーカ２２のフレーム２２ｆとを接続固定する３本のスピーカ接続固定手段２３ａ，２３ｂ，２３ｃにて構成されており、これらにより、第１のスピーカ２１と第２のスピーカ２２は接続固定されている。
【００４３】
また、この実施例のスピーカシステムＳ２では、磁気回路２１ｃ，２２ｃの中心に貫通孔２１ｇ，２２ｇが設けられており、第１のエンクロージャ２５と第２のエンクロージャ２６は、図８に示すように、貫通孔２１ｇ，２２ｇを貫通するスピーカ貫通部２７と、スピーカ貫通部２７と、第１のエンクロージャ２５または第２のエンクロージャ２６の内面とをそれぞれ接続固定するエンクロージャ支持部２５ｄ，２５ｅ，２６ｄ，２６ｅとから構成されるエンクロージャ接続固定部によってエンクロージャ内部で接続固定されている。
【００４４】
なお、スピーカ貫通部２７は、貫通孔２１ｇ，２２ｇを貫通するが、磁気回路２１ｃ，２２ｃとは非接触に構成されており、さらに、貫通孔２１ｇ，２２ｇから、第１のエンクロージャ２５と第２のエンクロージャ２６に音波が漏れることを防止するために、磁気回路２１ｃ，２２ｃとエンクロージャ支持部２５ｅ、２６ｅとの間には、振動を伝達しにくい材質にて形成されたパッキン３０，３１がそれぞれ配されている。これらの構成により、スピーカシステムＳ１のように、第１のエンクロージャ５または第２のエンクロージャ６の外方にエンクロージャ接続固定部（障害物）９ａ，９ｂ，９ｃがなく、音波の不要な反射をより回避することができるように構成されている。
【００４５】
スピーカシステムＳ２と前述したスピーカシステムＳ１との基本的な相違は上述した通りであり他の構成については略同様であるが、以下、スピーカシステムＳ２の他の構成について詳述する。
【００４６】
この実施例のスピーカシステムＳ２は、第１のスピーカ２１と、第１のスピーカ２１に対して互いの前面側が対向するように配置された第２のスピーカ２２と、第１のスピーカ２１と第２のスピーカ２２とを接続固定するスピーカ接続固定手段２３ａ，２３ｂ，２３ｃと、第１のスピーカ２１と第２のスピーカ２２の後面側を覆うように設けられたエンクロージャ２５，２６と、第１のスピーカ２１と第２のスピーカ２２との間に設けられ、第１のスピーカ２１または第２のスピーカ２２の前面側から放射される音波を拡散または反射する拡散器２４とを有し、第１のスピーカ２１と第２のスピーカ２２は、緩衝材２７，２８を介してエンクロージャ２５，２６に取り付けられている。以下、各構成について順次詳述する。
【００４７】
第１のスピーカ２１は、図６に示すように、振動板２１ａ、マグネット２１ｄおよびヨーク２１ｅからなる磁気回路２１ｃと、磁気回路２１ｃのギャップ部分に配置され振動板２１ａに連結されるボイスコイル２１ｂと、振動板２１ａおよび磁気回路２１ｃを支持するフレーム２１ｆから構成されている。そして、この第１のスピーカ２１は、ボイスコイル２１ｂに信号を入力すると、磁気回路２１ｃの磁束によりボイスコイル２１ｂが振動し、ボイスコイル２１ｂの振動に応じて振動板２１ａが振動して音波が発生し放射されるように構成されている。
【００４８】
第２のスピーカ２２は、第１のスピーカ２１に対して互いの前面側が対向するように配置されており、第１のスピーカ２１と同様、振動板２２ａ、マグネット２２ｄおよびヨーク２２ｅからなる磁気回路２２ｃと、磁気回路２２ｃのギャップ部分に配置され振動板２２ａに連結されるボイスコイル２２ｂと、振動板２２ａおよび磁気回路２２ｃを支持するフレーム２２ｆから構成されている。そして、この第２のスピーカ２２も、ボイスコイル２２ｂに信号を入力すると、磁気回路２２ｃの磁束によりボイスコイル２２ｂが振動し、ボイスコイル２２ｂの振動に応じて振動板２２ａが振動し音波が発生して放射されるように構成されている。
【００４９】
なお、この実施例の第１のスピーカ２１と第２のスピーカ２２は、同一の構成、形状および寸法である。また、ボイスコイル２１ｂおよびボイスコイル２２ｂには、第１のスピーカ２１および第２のスピーカ２２から実質的に同じ音波または低周波成分が同じ音波を同時に発生させることが好ましいことから、同一な信号または低周波成分が同一な信号が同時に入力されることが好ましい。
【００５０】
ただし、本発明のスピーカシステムは、第１のスピーカと第２のスピーカが同一の構成、形状および寸法のものに限定されるものではなく、第１のスピーカと第２のスピーカにそれぞれ異なる構成、形状および寸法のものを用いた場合、第１のスピーカと第２のスピーカから実質的に同じ音波または低周波成分が同時に発生されるよう、それぞれの信号が補正され入力されることが好ましい。
【００５１】
前述したスピーカ接続固定手段２３ａ，２３ｂ，２３ｃは、第１のスピーカ２１と第２のスピーカ２２とを接続固定するための部位であり、第１のスピーカ２１と第２のスピーカ２２は、これらスピーカ接続固定手段２３ａ，２３ｂ，２３ｃによって、互いの前面同士が対向すると共に平行方向に延在するように連結固定されている。具体的には、スピーカ接続固定手段２３ａ，２３ｂ，２３ｃは、第１のスピーカ２１のフレーム２１ｆと第２のスピーカ２２のフレーム２２ｆとを接続固定する支持棒２３ａ，２３ｂ，２３ｃにて構成されている。
【００５２】
さらに、第１のスピーカ２１と第２のスピーカ２２との間の距離は、可能な限り近接させることが好ましい。
【００５３】
このように、本発明のスピーカシステムＳ２では、第１のスピーカ２１と第２のスピーカ２２同士を前面を向き合わせてスピーカ接続固定手段２３ａ，２３ｂ，２３ｃにて固定し、実質的に同じ音波または低周波成分を同時に発生させることで、互いの反作用、振動がスピーカ接続固定手段２３ａ，２３ｂ，２３ｃにて相殺される。よって、第１のスピーカ２１と第２のスピーカ２２が安定して大きく動くことがなく、振動板２１ａ，２２ａの振幅の基準点を保てるため、入力信号に対して正確に応答することができるように構成されている。また、第１のスピーカ２１および第２のスピーカ２２に、同一の構成、形状および寸法を用い、同一な信号または低周波成分が同一な信号を同時に入力することで、上記効果は更に顕著なものとなる。さらに、特許第４７４４４１６号公報のように音波の発生位置が離れてしまうこともなく、第１のスピーカ２１と第２のスピーカ２２から放射される音波の時間差を低減させ指向性を低下させることもできる。さらに、第１のスピーカ２１と第２スピーカ２２との距離を十分に近接させることができるため、振動板２１ａから放射される音波と振動板２２ａから放射される音波の時間差が低減され、指向性が低下するため正確に試聴できる音空間の範囲が広くなる上、音波の再現性をより高めることができる。
【００５４】
第１のスピーカ２１と第２のスピーカ２２との間には、第１のスピーカ２１または第２のスピーカ２２の前面側から放射される音波を拡散または反射する拡散器２４が設けられている。この拡散器２４によって音波を拡散または反射させることができ、第１のスピーカ２１および第２のスピーカ２２から放射される音波の指向性をより低下させることができる。
【００５５】
この実施例の拡散器２４は、図６または図８に示すように、スピーカ貫通部２７に設けられた球状体にて構成されている。拡散器２４が設けられる位置は、音波を面対称的に反射させるため、第１のスピーカ２１と第２のスピーカ２２から等距離の位置であることが好ましい。また、拡散器２４に質量の大きい物を用いることで、第１のスピーカ２１および第２のスピーカ２２の慣性質量を大きくして不要振動（反作用）をより低下させることができる。
【００５６】
エンクロージャ２５，２６は、第１のスピーカ２１と第２のスピーカ２２の後面側をそれぞれ覆うように設けられており、スピーカシステムＳ２は、第１のスピーカ２１の後面側を覆う第１のエンクロージャ２５と、第２のスピーカ２２の後面側を覆う第２のエンクロージャ２６とを有している。
【００５７】
第１のエンクロージャ２５は、図６に示すように、第１のスピーカ２１を設置するためのスピーカ設置用開口部２５ａを有し、第２のエンクロージャ２６は、第２のスピーカ２２を設置するためのスピーカ設置用開口部２６ａを有している。そして、第１のスピーカ２１はフレーム２１ｆが緩衝材（環状体）２８を介して第１のエンクロージャ２５に設置されることにより第１のエンクロージャ２５に取り付けられている。他方、第２のスピーカ２２はフレーム２２ｆが緩衝材（環状体）２９を介して第２のエンクロージャ２６に設置されることにより第２のエンクロージャ２６に取り付けられている。  
【００５８】
このように、スピーカ２１またはスピーカ２２は、緩衝材２８または緩衝材２９を介して、第１のエンクロージャ２５または第２のエンクロージャ２６に取り付けられることにより、第１のスピーカ２１と第１のエンクロージャ２５間の不要振動、または第２のスピーカ２２と第２のエンクロージャ２６間の不要振動が相互により伝達しないように構成されている。また、緩衝材２８および緩衝材２９は、第１のスピーカ２１の設置部分および第２のスピーカ２２の設置部分の気密性を確保するよう構成されている。ただし、本発明のスピーカシステムは、スピーカ２１またはスピーカ２２が、緩衝材２８または緩衝材２９を介して、第１のエンクロージャ２５または第２のエンクロージャ２６に取り付けられているものに限定されるものではなく、緩衝材が介在しないものも本発明の範疇に包含される。  
【００５９】
第１のエンクロージャ２５および第２のエンクロージャ２６は、それぞれ中空の球形状に形成されている。これにより、第１のエンクロージャ２５または第２のエンクロージャ２６内で発生する定在波を低減することができると共に、音波を球体の表面で反射、拡散させることで指向性を低下させることができる。
【００６０】
なお、本願でいう球形状とは、球体に限定されるものではなく、例えば、楕円球形状、半球形状、卵形状などを含む概念である。その他、第１のエンクロージャおよび第２のエンクロージャは、筒形状、または円筒の変形形状など広く連続した曲面を有したものを含み、さらに箱型形状などであってもよい。
【００６１】
第１のエンクロージャ２５および第２のエンクロージャ２６は、この実施例のように、同一の構成、形状および寸法であることが好ましい。これにより、第１のエンクロージャ２５と第２のエンクロージャ２６、第１のエンクロージャ２５内の空気と第２のエンクロージャ２６内の空気、および第１のエンクロージャ２５周囲の空気と第２のエンクロージャ２６周囲の空気は、実質的に第１のスピーカ２１と第２スピーカ２２との中間に延在する水平面に対して面対称的な振動をするため、指向性が低下し、正確に試聴できる音空間の範囲が広くなる上、音波の再現性をより高めることができる。
【００６２】
このように、本発明のスピーカシステムＳ２は指向性を著しく低くすることができることから設置の自由度が高く、水平方向だけでなく垂直方向にも指向性が低く、向きも関係なく設置可能である。また、第１のスピーカ２１と第２のスピーカ２２の相殺効果、第１のエンクロージャ２５と第２のエンクロージャ２６の相殺効果により、第１のエンクロージャ２５および第２のエンクロージャ２６の強度、振動に対する安定性を高めるために質量を大きくする必要がなく軽量化することができる。さらに、第１のエンクロージャ２５と第２のエンクロージャ２６は、急変部分での反射を防ぐため凸凹のない平滑な面が好ましい。
【００６３】
第１のエンクロージャ２５または第２のエンクロージャ２６は、図６または図８に示すように、それぞれ開口部２５ｂ，２６ｂを有している。この開口部２５ｂ，２６ｂによって第１のエンクロージャ２５または第２のエンクロージャ２６内の空気圧の変化を低減させ、第１のスピーカ２１および第２のスピーカ２２背面にかかる負荷を低下させることで、第１のスピーカ２１および第２のスピーカ２２による正確な応答をより確保することができる。また、これら開口部５ｂ，６ｂを用いてバスレフ効果も付加できる。
【００６４】
開口部２５ｂ，２６ｂには、図６または図８に示すように、それぞれ円筒管２５ｃ、２６ｃが設けられており、これら円筒管５ｃ，６ｃの内側には、それぞれ吸音材３４，３５が取り付けられている。これにより、開口部２５ｂ，２６ｂを介する第１のエンクロージャ２５または第２のエンクロージャ２６からの音波の漏れを低減させると共に、円筒管２５ｃ，２６ｃ内で音波を減衰させて圧力のみを外方に逃がすことができるように構成されている。
【００６５】
さらに、スピーカ貫通部２７にも、図６または図８に示すように、円盤状の吸音材３６，３７が水平方向に延在するように取り付けられている。これら吸音材３６，３７により、振動を熱に変換し、振動吸収、振動を減衰させて、第１のエンクロージャ２５または第２のエンクロージャ２６内の空気振動を吸収および低下させるように構成されている。
【００６６】
さらに、第１のエンクロージャ２５または第２のエンクロージャ２６の内面には、制振手段３２，３３が設けられている。これによっても、第１のエンクロージャ２５または第２のエンクロージャ２６内の不要振動を熱に変換し、振動吸収、振動を減衰させて、第１のエンクロージャ２５または第２のエンクロージャ２６内の空気振動を吸収および低下させるように構成されている。
【００６７】
そして、第１のエンクロージャ２５と第２のエンクロージャ２６は、前述したエンクロージャ接続固定部（スピーカ貫通部２７およびエンクロージャ支持部２５ｄ，２５ｅ，２６ｄ，２６ｅ）にて接続固定されている。これにより、エンクロージャの大きさまたは形状に影響されることなく、第１のスピーカと第２のスピーカとの距離を設定でき、エンクロージャの大きさまたは形状の自由度も高めることができる。また、第１のエンクロージャ２５と第２のエンクロージャ２６で発生する不要振動をエンクロージャ接続固定部（スピーカ貫通部２７およびエンクロージャ支持部２５ｄ，２５ｅ，２６ｄ，２６ｅ）にて相殺し低減できるように構成されている。
【００６８】
このように、第１のエンクロージャ２５と第２のエンクロージャ２６を、エンクロージャ接続固定部（スピーカ貫通部２７およびエンクロージャ支持部２５ｄ，２５ｅ，２６ｄ，２６ｅ）によって連結固定することで、第１のスピーカ２１の後方音圧によって第２のエンクロージャ２５内で発生する不要振動、および第１のスピーカ２２の後方音圧によって第２のエンクロージャ２６内で発生する不要振動の一致する周波数成分においては、エンクロージャ接続固定部（スピーカ貫通部２７およびエンクロージャ支持部２５ｄ，２５ｅ，２６ｄ，２６ｅ）を介して相殺されて、第１のエンクロージャ５および第１のエンクロージャ６で発生する不要振動が低減するように構成されている。
【００６９】
なお、第１のスピーカ２１または第２のスピーカ２２の少なくとも一方に、質量を増加させる錘手段が設けられていてもよい。これは、２つのスピーカ２１，２２から放射される音波の誤差、差分は相殺されることなく、２つのスピーカ２１，２２に影響を与えるが、第１のスピーカ２１または第２のスピーカ２２の慣性質量を増加させることで安定性を高め、２つのスピーカ２１，２２の不要振動をより低減することができる。
【符号の説明】
【００７０】
Ｓ１                    スピーカシステム
１，２                  スピーカ
１ａ，２ａ              振動板
１ｂ，２ｂ              ボイスコイル
１ｃ，２ｃ              磁気回路
１ｄ，２ｄ              マグネット
１ｅ，２ｅ              ヨーク
１ｆ，２ｆ              フレーム
３                      スピーカ接続固定手段（支持棒）
４                      拡散器
５，６                  エンクロージャ
５ａ，６ａ              スピーカ設置用開口部
５ｂ，６ｂ              開口部
５ｃ，６ｃ              円筒管
７，８                  緩衝材
９ａ，９ｂ，９ｃ        エンクロージャ接続固定部
１０，１１              制振材
１２，１３              吸音材
１４，１５              吸音材
Ｓ２                    スピーカシステム
２１，２２              スピーカ
２１ａ，２２ａ          振動板
２１ｂ，２２ｂ          ボイスコイル
２１ｃ，２２ｃ          磁気回路
２１ｄ，２２ｄ          マグネット
２１ｅ，２２ｅ          ヨーク
２１ｆ，２２ｆ          フレーム
２１ｇ，２２ｇ          貫通孔
２３ａ，２３ｂ，２３ｃ  スピーカ接続固定手段（支持棒）
２４                    拡散器
２５，２６              エンクロージャ
２５ａ，２６ａ          スピーカ設置用開口部
２５ｂ，２６ｂ          開口部
２５ｃ，２６ｃ          円筒管
２５ｄ，２５ｅ          エンクロージャ支持部
２６ｄ，２６ｅ          エンクロージャ支持部
２７                    スピーカ貫通部
２８，２９              緩衝材
３０，３１              パッキン
３２，３３              制振材
３４，３５              吸音材
３６，３７              吸音材
【図１】
2018082413.tif 000003
【図２】
2018082413.tif 000004
【図３】
2018082413.tif 000005
【図４】
2018082413.tif 000006
【図５】
2018082413.tif 000007
【図６】
2018082413.tif 000008
【図７】
2018082413.tif 000009
【図８】
2018082413.tif 000010